(57)【要約】  駆動と駆動の休止とを繰り返して行う間欠駆動モードでは、画像識別部（６）により、入力画像（画像データ（ＤＡ））が静止画像または動画像のいずれであるかの識別が行われる。入力画像が動画像であると識別された場合、駆動／休止制御部（７）により、動画像に応じた期間比率に基づいて駆動／休止制御信号（ＤＳＣ）が生成される。タイミングコントロール部（８）により、間欠駆動を行うように、ドライバ制御信号が生成される。すると、表示部（２）が、ソースドライバ（３）およびゲートドライバ（４）により、期間比率で駆動期間と休止期間とを繰り返すように駆動されて、入力画像が表示される。また、駆動／休止制御部（７）により、駆動期間と休止期間との時間についての比率を動画像と静止画像とで個別に可変に設定する。
2012137799.tif 000002
【特許請求の範囲】
【請求項１】
マトリクス状に配置された複数の画素と、
ライン毎に順次選択して各画素にデータ信号を供給する駆動回路と、
入力画像が静止画像または動画像のいずれであるかを識別する画像識別手段と、
前記画像識別手段によって前記入力画像が前記動画像であると識別されたときに、１フレームにおいて、駆動を行う駆動期間と駆動を休止する休止期間とを設けるように前記駆動回路を制御する一方、前記画像識別手段によって前記入力画像が静止画像であると識別されたときに、１フレーム以上の単位で前記駆動期間と前記休止期間とを設けるように前記駆動回路を制御する駆動／休止制御手段と、
前記駆動期間と前記休止期間との時間についての比率を前記静止画像と前記動画像とで個別に可変に設定する比率設定手段とを備えていることを特徴とする表示装置。
【請求項２】
前記比率設定手段は前記比率を書き替え可能に記憶する記憶手段であることを特徴とする請求項１に記載の表示装置。
【請求項３】
前記駆動回路は、出力段に設けられたアンプを介して各画素に供給される前記データ信号を出力するデータ信号出力回路を有し、
表示装置は、前記駆動期間に前記画素への印加電圧が所定の電圧に達する程度に前記アンプの能力を向上させるアンプ能力向上手段を備えていることを特徴とする請求項１または２に記載の表示装置。
【請求項４】
前記駆動期間において、駆動に先立って予め所定の電圧を前記画素に与えるプリチャージ手段を備えていることを特徴とする請求項３に記載の表示装置。
【請求項５】
前記駆動回路は、出力段に設けられたアンプを介して各画素に供給される前記データ信号を出力するデータ信号出力回路を有し、
表示装置は、前記休止期間に前記データ信号を出力できない程度に前記アンプの能力を低下させるアンプ能力低下手段を備えていることを特徴とする請求項１または２に記載の表示装置。
【請求項６】
前記駆動回路は、前記データ信号が供給される前記画素をライン毎に順次選択する選択回路を有し、
前記選択回路は、休止期間において前記画素を選択しないことを特徴とする請求項１または２に記載の表示装置。
【請求項７】
前記駆動／休止制御手段は、外部からの指令に基づいて前記駆動回路の制御を行うことを特徴とする請求項１または２に記載の表示装置。
【請求項８】
表示装置が液晶表示装置であることを特徴とする請求項１から７のいずれか１項に記載の表示装置。
【請求項９】
前記画素に含まれる薄膜トランジスタの半導体層には、酸化物半導体が用いられていることを特徴とする請求項８に記載の表示装置。
【請求項１０】
前記酸化物半導体はＩＧＺＯであることを特徴とする請求項９に記載の表示装置。
【請求項１１】
マトリクス状に配置された複数の画素と、ライン毎に順次選択して各画素にデータ信号を供給する駆動回路とを備えた表示装置の駆動方法であって、
入力画像が静止画像または動画像のいずれであるかを識別する画像識別工程と、
前記画像識別工程によって前記入力画像が前記動画像であると識別されたときに、１フレームにおいて、駆動を行う駆動期間と駆動を休止する休止期間とを設けるように前記駆動回路を制御する一方、前記画像識別工程によって前記入力画像が静止画像であると識別されたときに、１フレーム以上の単位で前記駆動期間と前記休止期間とを設けるように前記駆動回路を制御する駆動／休止制御工程と、
前記駆動期間と前記休止期間との時間についての比率を前記静止画像と前記動画像とで個別に可変に設定する比率設定工程とを備えていることを特徴とする表示装置の駆動方法。
【発明の詳細な説明】
【技術分野】
【０００１】
本発明は、消費電力を低減するために駆動期間以外に駆動を行わない休止期間を設ける表示装置およびその駆動方法に関する。
【背景技術】
【０００２】
近年、液晶表示装置に代表される薄型、軽量、および低消費電力の表示装置が盛んに活用されている。このような表示装置は、携帯電話、スマートフォン、タブレット型端末などへの機器に、小型化および軽量化を図るために好適に搭載される。また、このような機器は、蓄電池を電源として利用していることから、消費電力を低減することが求められる。したがって、上記の機器に搭載される表示装置についても消費電力を低減することが必要となる。【０００３】
ところで、上記のような表示装置では、安定した表示状態を維持するために、同じ画像を一定の間隔で繰り返し表示させる（画像を書き替える）リフレッシュ駆動が行われる。しかしながら、リフレッシュ駆動のために電力を消費するので、この電力消費を低減することが試みられている。【０００４】
例えば、特許文献１には、画面を走査した後、画面を１回走査する走査期間よりも長い非走査期間であって、全走査信号線を非走査状態とする休止期間を設ける駆動方法が開示されている。このように休止期間を設けることにより、消費電力の低減を図ることができる。【０００５】
また、この駆動方法は、画像データが変化しているか否かを検出して、変化しない画像（静止画像）および変化する画像（動画像）に応じて異なる形態で休止期間を設ける。具体的には、静止画像の場合（静止モード）、走査期間（１フレーム）と休止期間とを１回ずつ繰り返し、動画像の場合（動画モード）、複数回の走査期間と１回の休止期間とを繰り返す。これにより、特に動画像表示の場合、十分な表示の応答速度を確保し、明るさ、コントラスト、応答速度、階調性などの基本的な表示品位を満たした状態で、消費電力の低減を容易かつ十分に図ることができる。また、静止画像と動画像とで最適な表示品位を満たした状態で、画像を書き替える回数を少なくして、消費電力を低減することができる。
【先行技術文献】
【特許文献】
【０００６】
【特許文献１】日本国公開特許公報「２００２−２７８５２３号（２００２年９月２７日公開）」
【発明の概要】
【発明が解決しようとする課題】
【０００７】
特許文献１に記載されている駆動方法では、動画像を表示する場合、１フレームの走査期間を複数回繰り返した後に休止期間を設けるというサイクルで駆動する。したがって、消費電力をさらに低減するには、休止期間をより長く設定する必要がある。しかしながら、休止期間が長すぎると、各フレームの画像が滑らかに変化しなくなり、動画像の表示品位が低下するという不都合がある。【０００８】
昨今の携帯電話、スマートフォン、タブレット端末などでは、動画像を表示することが多い。したがって、このような機器に用いられる表示装置には、動画像の表示品位の向上と消費電力の低減とが、より強く求められる。また、静止画像の場合、休止期間をある程度長く設定しても表示品位が低下しないので、上記のような動画像に特有の問題は生じない。【０００９】
したがって、静止画像の表示時には、表示品位が確保されているので、消費電力の低減を優先させる一方、動画像の表示時には、表示品位を低下させることなく消費電力を低減するといった駆動をすることが求められる。【００１０】
本発明は、前記の問題に鑑みてなされたものであり、その目的は、動画像および静止画像に応じて適正に駆動することができる表示装置およびその駆動方法を提供することにある。
【課題を解決するための手段】
【００１１】
本発明に係る表示装置は、前記の課題を解決するために、マトリクス状に配置された複数の画素と、ライン毎に順次選択して各画素にデータ信号を供給する駆動回路と、入力画像が静止画像または動画像のいずれであるかを識別する画像識別手段と、前記画像識別手段によって前記入力画像が前記動画像であると識別されたときに、１フレームにおいて、駆動を行う駆動期間と駆動を休止する休止期間とを設けるように前記駆動回路を制御する一方、前記画像識別手段によって前記入力画像が静止画像であると識別されたときに、１フレーム以上の単位で前記駆動期間と前記休止期間とを設けるように前記駆動回路を制御する駆動／休止制御手段と、前記駆動期間と前記休止期間との時間についての比率を前記静止画像と前記動画像とで個別に可変に設定する比率設定手段とを備えていることを特徴としている。【００１２】
また、本発明に係る表示装置の駆動方法は、上記の課題を解決するために、マトリクス状に配置された複数の画素と、ライン毎に順次選択して各画素にデータ信号を供給する駆動回路とを備えた表示装置の駆動方法であって、入力画像が静止画像または動画像のいずれであるかを識別する画像識別工程と、前記画像識別工程によって前記入力画像が前記動画像であると識別されたときに、１フレームにおいて駆動を行う駆動期間と駆動を休止する休止期間とを設けるように前記駆動回路を制御する一方、前記画像識別工程によって前記入力画像が静止画像であると識別されたときに、１フレーム以上の単位で前記駆動期間と前記休止期間とを設けるように前記駆動回路を制御する駆動／休止制御工程と、前記駆動期間と前記休止期間との時間についての比率を前記静止画像と前記動画像とで個別に可変に設定する比率設定工程とを備えていることを特徴としている。【００１３】
上記の構成では、画像識別手段（画像識別工程）により、入力画像が動画像であると識別されたときに、駆動／休止制御手段（駆動／休止制御工程）により、駆動回路が、１フレームにおいて、駆動期間で駆動を行い、休止期間で駆動を休止する。これにより、１フレーム未満でリフレッシュ駆動を完了した後に駆動を休止するので、フレーム単位で消費電力を低減することができる。一方、画像識別手段（画像識別工程）により、入力画像が動画像であると識別されたときに、駆動／休止制御手段（駆動／休止制御工程）により、駆動回路が、１フレーム以上の単位で、駆動期間に駆動を行い、休止期間に駆動を休止する。それゆえ、動画像の表示時には、より高速に駆動が行われる一方、静止画像の表示時には低速で駆動が行われる。【００１４】
また、比率設定手段（比率設定工程）により、比率が静止画像と動画像とで個別に可変に設定されるので、表示装置の性能や入力画像の状態に応じて、比率を変更することができる。比率を可変に設定するために、比率設定手段が記憶手段であれば、比率を適宜書き替えることにより、所望の比率を保持することができる。これにより、動画像および静止画像に応じて適正に表示装置を駆動することができる。
【発明の効果】
【００１５】
本発明に係る表示装置は、上記のように構成されることにより、動画像および静止画像に応じて適正に表示装置を駆動することができるという効果を奏する。
【図面の簡単な説明】
【００１６】
【図１】本発明の一実施形態に係る表示装置の要部の構成を示すブロック図である。
【図２】（ａ）は上記表示装置におけるソースドライバの出力段の構成を示す回路図であり、（ｂ）は上記出力段のソースアンプに与えられるアンプイネーブル信号を示す波形図である。
【図３】上記表示装置におけるゲートドライバに与えられる制御信号および当該ゲートドライバから出力されるゲート信号を示す波形図である。
【図４】上記ソースドライバおよびゲートドライバによるプリチャージ動作を示すタイミングチャートである。
【図５】上記表示装置における画像識別部の構成を示すブロック図である。
【図６】上記表示装置における駆動／休止制御部の構成を示すブロック図である。
【図７】上記表示装置における電源回路に設けられる上記ソースアンプ用のレギュレータの構成を示す回路図である。
【図８】（ａ）は通常駆動モードにおける駆動パターンを示す図であり、（ｂ）は第１間欠駆動モードにおける駆動パターンを示す図である。
【図９】（ａ）は図８の（ａ）に示す駆動パターンで静止画像を表示する場合の電力消費を示す図であり、（ｂ）は図８の（ｂ）に示す駆動パターンで静止画像を表示する場合の電力消費を示す図である。
【図１０】（ａ）は通常駆動モードにおける駆動パターンを示す図であり、（ｂ）は第２間欠駆動モードにおける駆動パターンを示す図である。
【図１１】（ａ）は図１０の（ａ）に示す駆動パターンで動画像を表示する場合の電力消費を示す図であり、（ｂ）は図１０の（ｂ）に示す駆動パターンで動画像を表示する場合の電力消費を示す図である。
【図１２】上記表示装置における表示パネルを構成する画素に含まれる薄膜トランジスタの特性を示すグラフである。
【発明を実施するための形態】
【００１７】
本発明に係る一実施形態について、図１〜図１２を参照して以下に説明する。
【００１８】
〔表示装置の構成〕
図１は、本実施形態に係る表示装置１の全体構成を示している。本実施形態では、表示装置１が液晶表示装置である例について説明するが、後述するように、本発明は液晶表示装置に限定されるものではない。
【００１９】
図１に示すように、表示装置１は、表示部２、ソースドライバ３、ゲートドライバ４、プリチャージ回路５、画像識別部６、駆動／休止制御部７、タイミングコントロール部８および電源回路９を備えている。
【００２０】
〈表示部の構成〉
表示部２は、表示パネルと、バックライト装置とを有している。表示パネルは、アクティブマトリクス基板と、対向基板と、両基板の間に挟持された液晶とを含んでいる。アクティブマトリクス基板には、平行に配列された複数のゲートラインＧＬと、平行に配列された複数のソースラインＳＬとが、互いに交差するように形成されている。ゲートラインＧＬとソースラインＳＬとの交差部分の付近には、画素ＰＩＸが配置されている。したがって、表示パネルにおいて、画素ＰＩＸはマトリクス状に配列されている。画素ＰＩＸは、液晶容量ＣとトランジスタＴ（薄膜トランジスタ）とを含んでいる。液晶容量Ｃは、図示はしないが、アクティブマトリクス基板に形成された画素電極と、対向基板に形成された共通電極と、両電極の間の液晶とによって形成される。
【００２１】
１本のゲートラインＧＬに接続される画素ＰＩＸによりラインが構成されている。ゲートラインＧＬは、１ラインの画素ＰＩＸにゲート信号を与えるために、ゲートドライバ４から出力されるゲート信号を伝送する。ソースラインＳＬは、選択された画素ＰＩＸにデータ信号を与えるために、ソースドライバ３から出力されるデータ信号を伝送する。
【００２２】
上記の表示部２においては、ゲートラインＧＬに供給されるゲート信号によって画素ＰＩＸのトランジスタＴがオンすると、ソースラインＳＬから供給されるデータ信号が画素ＰＩＸに取り込まれて、画素電極に書き込まれる。これにより、液晶容量Ｃにデータ信号に応じた電圧が印加されるので、液晶の配向状態が変化する。この結果、バックライト装置からの照射光がデータ信号に応じて変調して出射されて、データ信号に応じた階調で画像が表示される。
【００２３】
〈ソースドライバの構成〉
図２の（ａ）はソースドライバ３の出力段の構成を示しており、図２の（ｂ）は当該出力段のソースアンプ３１に与えられるアンプイネーブル信号ＡＥを示している。
【００２４】
ソースドライバ３（駆動回路，データ信号出力回路）は、タイミングコントロール部８から入力される画像データＤＡを、シフトレジスタによって生成されたタイミングで１行分保存して各ソースラインＳＬに出力する。具体的には、ソースドライバ３のシフトレジスタは、ソーススタートパルスＳＳＰをソースクロックＳＣＫに同期して順次シフトさせて出力する。ソーススタートパルスＳＳＰおよびソースクロックＳＣＫは、後述するように、タイミングコントロール部８によって与えられる。
【００２５】
また、図２の（ａ）に示すように、ソースドライバ３は、出力段にソースラインＳＬと同数設けられているソースアンプ３１（アンプ）を有している。ソースアンプ３１は、アナログアンプによって構成されており、タイミングコントロール部８から与えられるアンプイネーブル信号ＡＥによってその動作が制御される。具体的には、ソースアンプ３１は、アンプイネーブル信号ＡＥが“Ｈ”であるときに動作し、アンプイネーブル信号ＡＥが“Ｌ”であるときに動作しない。また、ソースアンプ３１には可変の電源電圧Ｖｄｄが印加されている。これにより、ソースアンプ３１は、電源電圧Ｖｄｄが高くなると、その能力を高くする一方、電源電圧Ｖｄｄが低くなると、その能力を低くする。
【００２６】
〈ゲートドライバの構成〉
図３は、ゲートドライバ４に与えられる制御信号およびゲートドライバ４から出力されるゲート信号を示している。
【００２７】
ゲートドライバ４（駆動回路，選択回路）は、図３に示すように、タイミングコントロール部８から供給されるゲートスタートパルスＧＳＰ、ゲートクロックＧＣＫおよびゲートイネーブル信号ＧＯＥに基づいて、ゲートラインＧＬに出力するゲート信号Ｇ１〜Ｇ７，…を生成する。具体的には、ゲートドライバ４は、ゲートイネーブル信号ＧＯＥが“Ｌ”（アクティブ）である期間に、シフトレジスタによって、ゲートスタートパルスＧＳＰをゲートクロックＧＣＫに同期して順次シフトさせてゲート信号Ｇ１〜Ｇ７，…を出力する。ゲートドライバ４は、このようなゲート信号Ｇ１〜Ｇ７，…を出力することにより、ゲートラインＧＬを線順次に選択する。つまり、ゲートドライバ４は、画素ＰＩＸをライン毎に順次選択する。
【００２８】
〈プリチャージ回路の構成〉
プリチャージ回路５（プリチャージ手段）は、画素ＰＩＸへのデータ信号の書き込みが行われるラインの２，３ライン前のソースラインＳＬにプリチャージ電圧を出力する。プリチャージ回路５は、タイミングコントロール部８から与えられるプリチャージ制御信号ＰＣによって、プリチャージ電圧を出力する動作が制御される。このように、プリチャージ回路５は、同一のラインの画素ＰＩＸに、駆動に先立って所定の電圧を与えるプリチャージ動作を行う。
【００２９】
〈他のプリチャージ機能〉
図４は、ソースドライバ３およびゲートドライバ４によるプリチャージ動作を示すタイミングチャートである。
【００３０】
プリチャージ回路５と同様の機能をソースドライバ３およびゲートドライバ４によっても実現することができる。次に、その詳細について説明する。
【００３１】
図４に示すように、ソースドライバ３は、水平同期信号Ｈｓｙｎｃによって規定される１Ｈおきに上昇と下降とを繰り返すように変化するデータ信号の電圧（信号電圧）を出力する。また、タイミングコントロール部８は、信号電圧と同期して、各フレームに２回ずつ１ＨをおいてゲートスタートパルスＧＳＰを出力する。ゲートドライバ４は、このゲートスタートパルスＧＳＰによって、各ゲートラインＧＬについて、１フレームに２回だけ１Ｈをおいてゲート信号を出力する。図４には、ゲート信号ＧｎがゲートラインＧＬｎに出力されている例を示す。
【００３２】
これにより、ゲートラインＧＬｎに接続される画素ＰＩＸにおいて、ゲートドライバ４から１フレームにおいて最初に出力されるゲート信号ＧｎによりトランジスタＴがＯＮする。すると、図４に示すように、トランジスタＴのソース電位ＶＳは、信号電圧により、上昇するように変化する。このとき、トランジスタＴのドレインに接続されている画素電極の画素電極電位ＶＰは、上昇したソース電位ＶＳにより、高い値に変化して液晶容量Ｃで保持される。これにより、液晶容量Ｃがプリチャージされる。この状態では、各画素ＰＩＸの画素電極電位ＶＰは、画像を表示するときの所定の電圧にまでは達していない。
【００３３】
そして、その２ライン後に、同じ画素ＰＩＸにおいて、ゲートドライバ４から次に出力されるゲート信号ＧｎによりトランジスタＴがＯＮする。このとき、画素電極電位ＶＰは、信号電圧の印加によってソース電位ＶＳが上昇することにより、さらに高い値に変化して液晶容量Ｃで保持される。これにより、液晶容量Ｃがメインチャージされる。この状態では、各画素ＰＩＸの画素電極電位ＶＰは、画像を表示するときの所定の電圧に達する。
【００３４】
このように、上記の例では、メインチャージの２ライン前にプリチャージが行われる。
【００３５】
〈画像識別部の構成〉
図５は、画像識別部６の構成を示している。
【００３６】
画像識別部６（画像識別手段）は、入力される画像データＤＡの種類を判別する。このために、画像識別部６は、図５に示すように、フレームメモリ６１と、比較部６２と、識別部６３と、設定記憶部６４とを有している。
【００３７】
フレームメモリ６１は、入力される連続する２つのフレームの画像データＤＡを保持する。比較部６２は、フレーム６１に保持された両フレームの画像データＤＡ（入力画像）をドット単位で比較して、一致または不一致を判別する。
【００３８】
識別部６３は、比較部６２による比較の結果、全体のドットに対して両入力画像が一致しないドットの比率が所定の基準比率以上であるときに入力画像を動画像と識別し、一致しないドットの比率が基準比率未満であるときに入力画像を静止画像と識別する。これにより、両入力画像が完全に一致したときに両入力画像が静止画像であると識別したり、両入力画像が一部しか一致しないくても大部分が一致したときに両入力画像が静止画像であると識別したりすることができる。
【００３９】
上記の基準比率は、設定記憶部６４に予め設定値として記憶されており、識別部６３により読み出される。また、基準比率は、変更可能であり、ユーザにより任意に設定されてもよい。
【００４０】
また、識別部６３は、両入力画像の種類を識別した結果として画像識別信号ＤＩＳを出力する。画像識別信号ＤＩＳは、例えば、静止画像と動画像との識別を２値の信号として表す。また、画像識別信号ＤＩＳは、識別すべき画像がその他にあれば、２値の信号を用いてもよい。
【００４１】
さらに、識別部６３は、通常駆動モード時に入力画像の識別を行わず、間欠駆動モード時に入力画像の識別を行う。通常駆動モードは通常の駆動を行う駆動モードである。間欠駆動モードは前述の駆動期間と休止期間とを繰り返し設けることにより駆動を間欠的に行う駆動モードである。また、間欠駆動モードには、静止画像のみ間欠駆動する第１間欠駆動モードと、静止画像および動画像の両方について間欠駆動する第２間欠駆動モードとが用意されている。通常駆動モードまたは間欠駆動モード（第１または第２間欠駆動モード）のいずれが有効であるかは、設定記憶部６４にフラグとして設定されている。通常駆動モードおよび間欠駆動モードのいずれを有効とするかは、例えばユーザにより設定される。
【００４２】
〈駆動／休止制御部の構成〉
図６は、駆動／休止制御部７の構成を示している。
【００４３】
駆動／休止制御部７（駆動／休止制御手段）は、画像識別部６による入力画像の識別の結果（画像識別信号ＤＩＳ）に基づいて、静止画像に応じた休止期間を設けるか、動画像に応じた休止期間を設けるかを決定する。また、駆動／休止制御部７は、画像識別部６において画像の識別をしなかった場合（通常駆動モードの場合）、休止期間を設けずに通常駆動をすることを決定する。このために、駆動／休止制御部７は、図６に示すように、駆動／休止情報記憶部７１と、駆動／休止切替部７２とを有している。
【００４４】
駆動／休止情報記憶部７１（比率設定手段，記憶手段）は、駆動と駆動の休止とを繰り返す間欠駆動を行う場合に用いる、駆動期間と休止期間との時間についての比率（期間比率）の情報を静止画像と動画像とで個別に書き替え可能に記憶している。これにより、駆動／休止情報記憶部７１は、期間比率を可変に設定することができる。これらの期間比率の設定を任意に変更できるのは勿論である。
【００４５】
本実施形態では、静止画像の期間比率としては、例えば、駆動期間：休止期間が１フレーム：１フレームに設定されている。静止画像の期間比率としては、これに限らず、１フレームの駆動期間に対して休止期間を１フレーム以上の長さに設定してもよい。
【００４６】
また、動画像の期間比率としては、１フレーム内で駆動期間と休止期間とを設けるようにして、例えば、駆動期間：休止期間が１／２フレーム：１／２フレームに設定されている。動画像の期間比率としては、これに限らず、１／２フレーム未満の駆動期間に対して１／２を越える休止期間を設定してもよい。
【００４７】
駆動／休止切替部７２は、画像識別信号ＤＩＳに基づいて、駆動／休止情報記憶部７１から静止画像または動画像の期間比率を読み出し、当該期間比率に基づいて起動期間と休止期間とを切り替える駆動／休止制御信号ＤＳＣを生成する。駆動／休止制御信号ＤＳＣは、例えば、駆動期間に“Ｈ”となり、休止期間に“Ｌ”となる信号である。
【００４８】
また、駆動／休止切替部７１は、外部入力コマンドＣＯＭ（指令）に基づいて、駆動／休止情報記憶部から静止画像または動画像の期間比率を読み出し、当該期間比率に基づいて駆動／休止制御信号ＤＳＣを生成してもよい。外部入力コマンドＣＯＭは、画像識別部６による入力画像の識別とは関係なく、入力画像の種類を指定するコマンドであり、表示装置１が組み込まれた機器の制御部から供給される。駆動／休止制御部７は、画像識別信号ＤＩＳよりも外部入力コマンドＣＯＭによる制御を優先して行う。
【００４９】
駆動／休止制御部７により、期間比率が設定されることにより、タイミングコントロール部８にて駆動周波数が決定される。したがって、期間比率は駆動周波数情報としても利用される。
【００５０】
〈タイミングコントロール部の構成〉
タイミングコントロール部８は、タイミング信号ＴＩＭおよび駆動／休止制御信号ＤＳＣに基づいてドライバ制御信号を生成する。ドライバ制御信号は、前述のソーススタートパルスＳＳＰ、ソースクロックＳＣＫ、アンプイネーブル信号ＡＥ、ゲートイネーブル信号ＧＯＥ、ゲートスタートパルスＧＳＰおよびゲートクロックＧＣＫである。また、タイミングコントロール部８は、画像識別部６を経由して入力される画像データＤＡをソースドライバ３に出力する。
【００５１】
具体的には、タイミングコントロール部８は、ソースドライバ３において、駆動期間にソースアンプ３１が動作し、休止期間にソースアンプ３１が動作を停止するようにアンプイネーブル信号ＡＥを生成する。このため、タイミングコントロール部８は、図２の（ｂ）に示すように、タイミング信号ＴＩＭとしての垂直同期信号Ｖｓｙｎｃの立ち上がりに同期して立ち上がり、かつ駆動期間に“Ｈ”となり休止期間に“Ｌ”となるようにアンプイネーブル信号ＡＥを生成する。図２の（ｂ）には、駆動期間が１Ｖ期間（１フレーム）より短い場合を示している。この場合、ソースドライバ３において、１フレームの前半でソースアンプ３１が動作して駆動が行われ、１フレームの後半でソースアンプ３１の動作が停止して駆動が休止する。
【００５２】
一方、タイミングコントロール部８は、駆動期間にゲートドライバ４が動作し、休止期間にゲートドライバ４が動作を停止するようにゲートクロックＧＣＫおよびゲートイネーブル信号ＧＯＥを生成する。このため、タイミングコントロール部８は、駆動期間に、図３に示すように、ゲートイネーブル信号ＧＯＥの立ち下がりに同期して立ち上がるようにゲートクロックＧＣＫを出力する。また、タイミングコントロール部８は、休止期間に、ゲートイネーブル信号ＧＯＥを“Ｈ”（非アクティブ）とし、ゲートクロックＧＣＫの出力を停止する。これにより、ゲートドライバ４は、駆動期間に、ゲートクロックＧＣＫが与えられることによりゲート信号を出力し、休止期間に、ゲートクロックＧＣＫが与えられなくなることによりゲート信号の出力を停止する。
【００５３】
具体的には、タイミングコントロール部８は、駆動／休止制御信号ＤＳＣによって規定される期間比率に基づく駆動期間に１画面分の画像を表示するように、ソースドライバ３およびゲートドライバ４の駆動周波数を変更する。一方、タイミングコントロール部８は、上記の期間比率に基づく休止期間に表示動作を休止するように、ソースドライバ３およびゲートドライバ４の動作を停止させる。
【００５４】
また、タイミングコントロール部８は、期間比率に応じて駆動期間における駆動周波数を変更する。ここで、１フレームに１画面分の画像を表示する場合の駆動を通常駆動とする。これに対し、タイミングコントロール部８は、１フレームより短い期間で１画面分の画像を表示する場合、通常駆動時より高い駆動周波数で駆動するようにソースクロックＳＣＫ、ゲートイネーブル信号ＧＯＥおよびゲートクロックＧＣＫの周波数を高める。
【００５５】
〈電源回路の構成〉
図７は、電源回路９におけるレギュレータ９３の構成を示している。
【００５６】
電源回路９は、ソースドライバ３およびゲートドライバ４に与える電源電圧を発生する回路である。また、電源回路９は、画像識別部６、駆動／休止制御部７およびタイミングコントロール部８に与える電源電圧を発生する回路である。
【００５７】
電源回路９は、上記の各部に与える複数の異なる電源電圧を単一の入力電源電圧ＶＣＣに基づいて生成する。このため、電源電圧９は、ＤＣ／ＤＣコンバータ９１と、レギュレータ９２とを有している。ＤＣ／ＤＣコンバータ９１は、低い入力電源電圧ＶＣＣを昇圧するための電圧回路である。レギュレータ９２は、ＤＣ／ＤＣコンバータ９１から出力される電圧ＶＤＤに基づいて各部に与える電源電圧を生成する回路である。
【００５８】
電源回路９は、特に、図７に示すように、前述のソースアンプ３１に与える電源電圧Ｖｄｄを生成するためのレギュレータ９２としてレギュレータ９３を有している。レギュレータ９３は、レギュレータＩＣ９４と、コンデンサＣ１，Ｃ２と、抵抗Ｒ１，Ｒ２とを含んでいる。
【００５９】
コンデンサＣ１は、レギュレータ９３の動作を安定させるための入力コンデンサであり、レギュレータＩＣ９４の入力端子ＩＮとグランドＧＮＤとの間に接続されている。コンデンサＣ２は、発振防止用のコンデンサであり、レギュレータＩＣ９４の出力端子ＯＵＴとグランドＧＮＤとの間に接続されている。
【００６０】
抵抗Ｒ１，Ｒ２は、出力端子ＯＵＴとグランドＧＮＤとの間に直列に接続されている。抵抗Ｒ１，Ｒ２の接続点は、レギュレータ９４の制御端子ＡＤＪに接続されている。これにより、出力電圧Ｖｄｄが抵抗Ｒ１，Ｒ２により分圧された電圧がフィードバック電圧として制御端子ＡＤＪに入力される。また、抵抗Ｒ２は可変抵抗である。
【００６１】
レギュレータＩＣ９４は、制御端子ＡＤＪに入力されるフィードバック電圧が基準電圧に近づくように、入力端子ＩＮに入力される電圧ＶＤＤを制御して、出力端子ＯＵＴから既定の電源電圧Ｖｄｄを出力する。また、レギュレータＩＣ９４は、抵抗Ｒ２が可変抵抗であることにより、電源電圧Ｖｄｄを可変にすることができる。
【００６２】
レギュレータ９３（アンプ能力向上手段，アンプ能力低下手段）は、ソースアンプ３１の能力を制御する機能を有している。具体的には、レギュレータ９３は、抵抗Ｒ２の抵抗値を調整することによってソースアンプ３１の能力を決定する電源電圧Ｖｄｄを変化させる。
【００６３】
抵抗Ｒ２の抵抗値の調整は、例えば、タイミングコントロール部８によって、ソースドライバ３に設けられたレジスタに設定されている設定値を変更することで行われる。具体的には、タイミングコントロール部８は、休止期間に、設定値を低い値に変更し、その設定値に基づいてレギュレータ９３に抵抗Ｒ２の抵抗値を下げるように指示する。レギュレータ９３は、その指示に応じて抵抗Ｒ２の抵抗値を下げる。このときの設定値は、データ信号を出力できない程度にソースアンプ３１の能力を低下させる電源電圧Ｖｄｄが得られるような値である。また、タイミングコントロール部８は、駆動期間に、設定値を高い値に変更し、その設定値に基づいてレギュレータ９３に抵抗Ｒ２の抵抗値を上げるように指示する。レギュレータ９３は、その指示に応じて抵抗Ｒ２の抵抗値を上げる。
【００６４】
〔表示装置の動作〕
上記のように構成される表示装置１の動作（駆動方法）について説明する。
【００６５】
［共通動作］
まず、画像識別部６では、識別部６３により、設定記憶部６４におけるフラグが参照されることで、通常駆動モードまたは間欠駆動モードのいずれが有効であるかが確認される。ここで、通常駆動モードが有効である場合、識別部６３による入力画像の識別が行われず、駆動／休止制御部７による駆動／休止制御信号ＤＳＣの生成も行われないために、通常の駆動が行われる。一方、間欠駆動モードが有効である場合、画像識別部６では、次のようにして入力画像の識別が行われる。
【００６６】
画像データＤＡが入力されると、比較部６２により、フレームメモリ６１に保持された連続する２つの入力画像に対して画像データＤＡが比較されて、識別部６３により入力画像が静止画像または動画像であるかが識別される（画像識別工程）。画像識別部６からは、その識別結果が画像識別信号ＤＩＳとして出力される。また、入力された画像データＤＡは、画像識別部６を経てタイミングコントロール部８に出力される。
【００６７】
駆動／休止制御部７では、駆動／休止切替部７２により、画像識別信号ＤＩＳに基づいて、入力画像が識別された静止画像または動画像に応じた期間比率が駆動／休止情報記憶部７１から読み出され、当該期間比率に基づいて駆動／休止制御信号ＤＳＣが生成される（駆動／休止制御工程）。駆動／休止情報記憶部７１に記憶されている期間比率は、必要に応じて書き替えられることにより、可変に設定される（比率設定工程）。また、外部入力コマンドＣＯＭが入力されている場合、駆動／休止切替部７２により、駆動／休止制御信号ＤＳＣに優先して、外部入力コマンドＣＯＭに基づいて駆動／休止制御信号ＤＳＣが生成される。
【００６８】
タイミングコントロール部８では、通常駆動モードの場合、通常の駆動を行うように、前述のドライバ制御信号が生成される。すると、表示部２が、ソースドライバ３およびゲートドライバ４により通常に駆動される。これにより、画像識別部６からタイミングコントロール部８を介して入力された画像データＤＡに基づいて、表示部２に画像が表示される。
【００６９】
また、タイミングコントロール部８では、間欠駆動モードの場合、間欠駆動を行うように、ドライバ制御信号が生成される。すると、表示部２は、ソースドライバ３およびゲートドライバ４により、駆動期間と休止期間とを期間比率で繰り返すように駆動される。これにより、上記同様にして入力された画像データＤＡに基づいて、表示部２に画像が表示される。
【００７０】
休止期間では、ゲートイネーブル信号ＧＯＥが“Ｈ”となることから、ゲートドライバ４からは、ゲート信号が出力されない。また、ソースドライバ３において、アンプイネーブル信号ＡＥが“Ｌ”となることから、ソースドライバ３においてソースアンプ３１が動作を停止している。このとき、ソースアンプ３１の出力とソースラインＳＬとの接続が遮断される。
【００７１】
なお、休止期間では、ソースラインＳＬは、上記の状態以外に、電気的にフローティングの状態にしてもよく、電源電圧Ｖｄｄなどが印加された状態にしてもよい。また、タイミングコントロール部８とソースドライバ３との間の信号伝送のためのインターフェースを接続／遮断するための回路を設けてもよい。このような回路を用いれば、休止期間では、駆動／休止制御信号ＤＳＣにより、ソースドライバ３への信号の伝送が行われなくなるので、ソースドライバ３の動作が停止する。
【００７２】
［通常駆動モードから第１間欠駆動モードへの切り替え］（実施例１）
図８の（ａ）は通常駆動モードにおける駆動パターンを示しており、図８の（ｂ）は第１間欠駆動モードにおける駆動パターンを示している。また、図９の（ａ）は図８の（ａ）に示す駆動パターンで静止画像を表示する場合の電力消費を示しており、図９の（ｂ）は図８の（ｂ）に示す駆動パターンで静止画像を表示する場合の電力消費を示している。
【００７３】
図８の（ａ）に示すように、通常駆動モードにおいては、静止画像および動画像は、ともに１フレーム毎に画像が書き替えられるリフレッシュ駆動が行われる。
【００７４】
上記の通常駆動モードから第１間欠駆動モードに切り替えられると、画像識別部６によって入力画像が静止画像であると識別された場合、当該静止画像に対して間欠駆動が行われる。このとき、例えば、期間比率が駆動期間：休止期間＝１フレーム：１フレームに設定されているとする。この例では、図８の（ｂ）に示すように、静止画像が１フレーム毎に交互に駆動と駆動の休止とが繰り返される。
【００７５】
〈通常駆動モードおよび第１間欠駆動モードの消費電力の比較〉
図９の（ａ）に示すように、通常駆動モードでは、各フレームで連続的に駆動が行われて画像が書き替えられるので、連続する２つのフレーム（ＮフレームおよびＮ＋１フレーム）が駆動される。この場合、表示部２における表示パネルの駆動に４００ｍＷの電力が消費され、その他の電力として１００ｍＷが消費される。ここで、その他の電力は、表示パネルの駆動電力以外の電力であって、表示パネルのリフレッシュ駆動に直接関係せずに、リフレッシュ駆動する回路を動作させるための電源回路などの部分で消費される電力であり、駆動周波数に依存しない。
【００７６】
一方、図９の（ｂ）に示すように、第１間欠駆動モードでは、１フレームおきに画像が書き替えられるので、Ｎフレームでは駆動が行われて画像が書き替えられ、Ｎ＋１フレームでは駆動が休止して画像が書き替えられない。この場合、Ｎフレームでは、表示パネルの駆動に４００ｍＷの電力が消費され、その他の電力として１００ｍＷが消費される。しかしながら、Ｎ＋１フレームでは、表示部２における表示パネルの駆動に電力が消費されず、その他の電力として４０ｍＷが消費されるだけである。
【００７７】
このように、２フレームにわたる駆動について、第１間欠駆動モードでは、通常駆動モードに対して４６０ｍＷの電力を削減することができる。
【００７８】
［通常駆動モードから第２間欠駆動モードへの切り替え］（実施例２）
図１０の（ａ）は通常駆動モードにおける駆動パターンを示しており、図１０の（ｂ）は第２間欠駆動モードにおける駆動パターンを示している。また、図１１の（ａ）は図１０の（ａ）に示す駆動パターンで動画像を表示する場合の電力消費を示しており、図１１の（ｂ）は図１０の（ｂ）に示す駆動パターンで静止画像を表示する場合の電力消費を示している。
【００７９】
図１０の（ａ）に示すように、通常駆動モードにおいては、静止画像および動画像は、ともに１フレーム毎に画像が書き替えられるリフレッシュ駆動が行われる。
【００８０】
上記の通常駆動モードから第２間欠駆動モードに切り替えられると、画像識別部６によって入力画像が静止画像または動画像であると識別された場合、識別された静止画像または動画像に対して間欠駆動が行われる。このとき、例えば、静止画像については、第１間欠駆動モードの場合と同様、期間比率が駆動期間：休止期間＝１フレーム：１フレームに設定されているとする。また、動画像については、期間比率が駆動期間：休止期間＝１／２フレーム：１／２フレームに設定されているとする。この例では、図１０の（ｂ）に示すように、動画像が１フレームにおいて、前半の１／２フレームで駆動が行われ、後半の１／２フレームで駆動が休止される。この場合の駆動周波数は、１フレームを６０Ｈｚとすると、１２０Ｈｚとなる。
【００８１】
〈通常駆動モードおよび第２間欠駆動モードの消費電力の比較〉
図１１の（ａ）に示すように、通常駆動モードでは、動画像の表示に、１フレームで駆動が行われて画像が書き替えられる。この場合、表示パネルの駆動に４００ｍＷの電力が消費され、その他の電力として１００ｍＷが消費される。
【００８２】
一方、図１１の（ｂ）に示すように、第２間欠動駆動モードでは、１フレームにおいて、前半では駆動が行われて画像が書き替えられ、後半では駆動が休止して画像が書き替えられない。この場合、１フレームの前半では、表示パネルの駆動に通常駆動モードと同じ４００ｍＷの電力が消費され、その他の電力として５０ｍＷが消費される。しかしながら、１フレームの後半では、表示パネルの駆動に電力が消費されず、その他の電力として２０ｍＷが消費されるだけである。
【００８３】
このように、１フレームにおける駆動について、第２間欠駆動モードでは、通常駆動モードに対して３０ｍＷの電力を削減することができる。
【００８４】
［ソースアンプの駆動能力向上］（実施例３）
第２間欠駆動モードでは、１フレームにおける駆動期間の比率を小さくする（駆動周波数を高くする）ほど、消費電力がより削減される。しかしながら、駆動周波数が高くなると、ソースラインＳＬの配線容量Ｃによる影響のために、画素ＰＩＸへの印加電圧が所定の電圧まで達しないことがある。これに対しては、ソースアンプ３１の能力を高めることにより、画素ＰＩＸへの印加電圧を所定の電圧まで高めることができる。ソースアンプ３１の能力を高めるには、電源電圧Ｖｄｄを高くすればよい。
【００８５】
また、駆動周波数を高めた場合に、ソースアンプ３１の能力を上記のように高めることにより画素ＰＩＸへの印加電圧が十分確保されても、液晶容量Ｃの特性上、画素ＰＩＸの液晶への印加電圧が所定の電圧まで達しないことがある。これに対しては、駆動の対象となるラインの画素ＰＩＸに、プリチャージ回路５またはソースドライバ３およびゲートドライバ４のプリチャージ機能により、駆動される前に予めプリチャージ電圧を印加しておくことが好ましい。具体的には、駆動対象となる画素ＰＩＸには、２つまたは３つ前のラインが駆動されているときにプリチャージ電圧を印加しておく。これにより、ソースアンプ３１の能力を高めてもなお液晶への印加電圧が不十分である場合でも、液晶への印加電圧を十分に高めることができる。
【００８６】
〔薄膜トランジスタ〕
図１に示す表示装置１においては、表示部２の画素ＰＩＸに含まれるトランジスタＴ（薄膜トランジスタ，ＴＦＴ）として、その半導体層にいわゆる酸化物半導体を用いたＴＦＴを採用することが好ましい。この酸化物半導体には、例えばＩＧＺＯ（ＩｎＧａＺｎＯｘ）が含まれる。その理由について、図１２を参照して説明する。
【００８７】
図１２は、各種ＴＦＴの特性を示す図である。この図１２では、酸化物半導体を用いたＴＦＴ、ａ−Ｓｉ（amorphous silicon）を用いたＴＦＴ、およびＬＴＰＳ（Low Temperature Poly Silicon）を用いたＴＦＴの各々の特性を示す。図１２において、横軸（Ｖｇｈ）は、各ＴＦＴにおいてゲートに供給されるオン電圧の電圧値を示し、縦軸（Ｉｄ）は、各ＴＦＴにおけるソース−ドレイン間の電流量を示す。特に、図中において「ＴＦＴ−ｏｎ」と示されている期間は、オン電圧の電圧値に応じてオン状態となっている期間を示し、図中において「ＴＦＴ−ｏｆｆ」と示されている期間は、オン電圧の電圧値に応じてオフ状態となっている期間を示す。
【００８８】
図１２に示すように、酸化物半導体を用いたＴＦＴは、ａ−Ｓｉを用いたＴＦＴよりも、オン状態の時の電流量（すなわち、電子移動度）が高い。図示は省略するが、具体的には、ａ−Ｓｉを用いたＴＦＴは、そのＴＦＴ−ｏｎ時のＩｄ電流が１ｕＡであるのに対し、酸化物半導体を用いたＴＦＴは、そのＴＦＴ−ｏｎ時のＩｄ電流が２０〜５０ｕＡ程度である。このことから、酸化物半導体を用いたＴＦＴは、ａ−Ｓｉを用いたＴＦＴよりも、オン状態の時の電子移動度が２０〜５０倍程度高く、オン特性が非常に優れていることが分かる。
【００８９】
以上のことから、本実施形態の表示装置１において、酸化物半導体を用いたＴＦＴを各画素ＰＩＸに採用することによって、各画素ＰＩＸのＴＦＴのオン特性が非常に優れたものとなる。そのため、各画素ＰＩＸに対して画素データを書き込む際の電子移動量を増大し、該書き込みにかかる時間をより短時間化することができる。
【００９０】
〔実施形態の総括〕
以上のように、本実施形態の表示装置１は、画像識別部６および駆動／休止制御部７を備えることにより、入力画像が動画像であると識別されたときに、第２間欠駆動モードで表示部２を駆動する。これにより、入力画像が静止画像から動画像に切り替わったときに、外部より特別な指示を与えることなく、第２間欠駆動モードに切り替えることができる。また、駆動／休止制御部７は、外部入力コマンドＣＯＭを用いて任意に指示を与えることにより、所望通りにソースドライバ３およびゲートドライバ４を制御して、表示部２の駆動を行うことができる。
【００９１】
また、表示装置１は、第２間欠駆動モードを導入することにより、１フレーム未満でリフレッシュ駆動を完了した後に駆動を休止するようにして、動画像の表示品位を低下させることなく駆動周波数を高めている。これにより、フレーム単位で消費電力を低減することができる。それゆえ、特許文献１に記載されているように、長い休止期間を設けることによる動画像の表示品位を招くことなく、消費電力を柔軟に低減することができる。
【００９２】
また、期間比率が駆動／休止情報記憶部７１に記憶されるので、任意の期間比率を設定することができる。これにより、表示装置１の性能や入力画像の状態に応じて、期間比率（駆動周波数）を変更することができる。
【００９３】
また、ソースアンプ３１の能力を高めることにより、駆動周波数を高めた場合でも、画素ＰＩＸへの印加電圧を十分に確保することができる。これに加え、駆動前の画素ＰＩＸにプリチャージ回路５により予めプリチャージ電圧を印加することにより、駆動周波数を高めた場合でも、画素ＰＩＸの液晶への印加電圧を十分に確保することができる。これにより、駆動周波数を高めた場合に、動画像の表示品位の低下を回避することができる。
【００９４】
また、休止期間にソースアンプ３１の動作を停止することにより、休止期間における消費電力をより低減することができる。あるいは、休止期間にソースアンプ３１の動作を停止する代わりに、ソースアンプ３１の能力をデータ信号の出力ができない程度に低く制御してもよい。ソースアンプ３１の能力を低く設定するには、電源電圧Ｖｄｄを低くすればよい。
【００９５】
なお、ソースアンプ３１の能力が最も低下した状態が、ソースアンプ３１の動作が停止した状態に相当する。
【００９６】
休止期間にソースアンプ３１の動作停止または能力低下を行う代わりに、ソースアンプ３１をソースラインＳＬから切り離すようにしてもよい。このため、例えば、ソースアンプ３１とソースラインＳＬとの間にバッファを設け、休止期間にこのバッファの出力をハイインピーダンス状態となるようにしてもよい。
【００９７】
また、ソースドライバ４は、休止期間にゲート信号を出力しない（出力を“Ｌ”に固定する）。これにより、休止期間におけるソースドライバ４による電力消費を低減することができる。また、休止期間において、データ信号が画素ＰＩＸに書き込まれることを回避することができる。
【００９８】
〔付記事項〕
本実施形態に係る表示装置１は、下記のようにも表現することができる。
【００９９】
表示装置１は、マトリクス状に配置された複数の画素と、ライン毎に順次選択して各画素にデータ信号を供給する駆動回路と、入力画像が静止画像または動画像のいずれであるかを識別する画像識別部と、前記画像識別部によって前記入力画像が前記動画像であると識別されたときに、１フレームにおいて、駆動を行う駆動期間と駆動を休止する休止期間とを設けるように前記駆動回路を制御する一方、前記画像識別部によって前記入力画像が静止画像であると識別されたときに、１フレーム以上の単位で前記駆動期間と前記休止期間とを設けるように前記駆動回路を制御する駆動／休止制御部と、前記駆動期間と前記休止期間との時間についての比率を前記静止画像と前記動画像とで個別に可変に設定する比率設定部とを備えている。
【０１００】
前記表示装置１において、前記駆動回路は出力段に設けられたアンプを介して各画素に供給される前記データ信号を出力するデータ信号出力回路を有し、さらに前記表示装置１は、前記駆動期間に前記画素への印加電圧が所定の電圧に達する程度に前記アンプの能力を向上させるアンプ能力向上部を備えていることが好ましい。
【０１０１】
駆動期間の比率が低くなることにより駆動周波数が高くなった場合に、表示部の配線容量の影響により、画素への印加電圧が所定の電圧まで達しないことがある。これに対し、上記の構成では、アンプ能力向上部によりアンプの能力が高められるので、画素への印加電圧を十分に確保することができる。
【０１０２】
前記表示装置１は、前記駆動期間において、駆動に先立って予め所定の電圧を前記画素に与えるプリチャージ部を備えていることが好ましい。
【０１０３】
駆動周波数を高めた場合に、アンプの能力を上記のように高めることにより画素への印加電圧が十分確保されても、画素が液晶を含む場合、画素の液晶への印加電圧が所定の電圧まで達しないことがある。これに対し、上記の構成では、プリチャージ部により、予め駆動に先立って、所定の電圧が画素に与えられるので、液晶への印加電圧を十分に高めることができる。
【０１０４】
前記表示装置１において、前記駆動回路は、出力段に設けられたアンプを介して各画素に供給される前記データ信号を出力するデータ信号出力回路を有し、さらに前記表示装置１は、前記休止期間に前記データ信号を出力できない程度に前記アンプの能力を低下させるアンプ能力低下部を備えていることが好ましい。
【０１０５】
上記の構成では、アンプ能力低下部により、休止期間において、アンプの能力が低下する。これにより、休止期間における消費電力をより低減することができる。
【０１０６】
前記表示装置１において、前記駆動回路は、前記データ信号が供給される前記画素をライン毎に順次選択する選択回路を有し、前記選択回路は休止期間において前記画素を選択しないことが好ましい。
【０１０７】
選択回路は、通常、ゲートドライバのように画素を電気的に選択する。そこで、上記の構成のように、選択回路は休止期間において画素を選択しないことにより、消費電力を低減することができる。
【０１０８】
前記表示装置１は、前記駆動／休止制御部は、外部からの指令に基づいて前記駆動回路の制御を行うことが好ましい。
【０１０９】
上記の構成では、駆動／休止制御部により、外部からの指令に基づいて駆動回路の制御が行われる。これにより、任意に指令を与えることにより、所望に駆動回路を制御することができる。
【０１１０】
前記表示装置１は液晶表示装置であることが好ましい。これにより、液晶表示装置においても、フレーム単位で消費電力を低減することができる。
【０１１１】
前記表示装置１において、前記画素に含まれる薄膜トランジスタの半導体層には、酸化物半導体が用いられていることが好ましい。特に、前記酸化物半導体はＩＧＺＯであることが好ましい。これにより、薄膜トランジスタのオン特性が非常に優れたものとなる。
【０１１２】
なお、本実施形態では、表示装置１が液晶表示装置である例について説明した。しかしながら、本発明に係る表示装置は、液晶表示装置に限定されないことは勿論である。例えば、前述のように動画像の表示時に駆動周波数を可変にすることができるドライバを備えていれば、有機ＥＬ表示装置などの他の表示装置も本発明を適用することが可能である。
【０１１３】
また、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１４】
本発明に係る表示装置は、静止画像および動画像の表示時に、それぞれ適正に駆動するので、液晶表示装置、有機ＥＬ表示装置などの表示装置に好適に利用できる。
【符号の説明】
【０１１５】
１    表示装置
３    ソースドライバ（駆動回路，データ信号出力回路，プリチャージ手段）
４    ゲートドライバ（駆動回路，選択回路，プリチャージ手段）
５    プリチャージ回路（プリチャージ手段）
６    画像識別部
７    駆動／休止制御部
８    タイミングコントロール部（プリチャージ手段）
３１    ソースアンプ（アンプ）
６１    フレームメモリ
６２    比較部
６３    識別部
６４    設定記憶部
７１    駆動／休止情報記憶部（比率設定手段，記憶手段）
７２    駆動／休止切替部
９３    レギュレータ（アンプ能力向上手段，アンプ能力低下手段）
Ｃ      液晶容量
ＣＯＭ  外部入力コマンド
ＤＡ    画像データ
ＤＩＳ  画像識別信号
ＤＳＣ  駆動／休止制御信号
ＧＬ    ゲートライン
ＰＩＸ  画素
ＳＬ    ソースライン
Ｔ      トランジスタ（薄膜トランジスタ）
【図１】
2012137799.tif 000003
【図２】
2012137799.tif 000004
【図３】
2012137799.tif 000005
【図４】
2012137799.tif 000006
【図５】
2012137799.tif 000007
【図６】
2012137799.tif 000008
【図７】
2012137799.tif 000009
【図８】
2012137799.tif 000010
【図９】
2012137799.tif 000011
【図１０】
2012137799.tif 000012
【図１１】
2012137799.tif 000013
【図１２】
2012137799.tif 000014
【国際調査報告】
2012137799.tif 000015
2012137799.tif 000016
2012137799.tif 000017
2012137799.tif 000018
2012137799.tif 000019
2012137799.tif 000020